(57)【要約】【課題】メディアに記録されるデータを、複製に好適なデータで効率よく取得することができるようにする。【解決手段】データ記録済みのメディアから、展開可能な対応ファイル形式のデータ（指定フォルダーのデータ）を読み出すとともに、イメージファイルを読み出し、両データを記憶させるようにした。【選択図】図３
2014120186.tif 000002
【特許請求の範囲】
【請求項１】
データ記録用のメディアを処理するメディア処理装置において、
前記メディアの記録および再生を行う記録再生部と、
前記メディアの記録および再生の制御を行うとともに、所定のファイル形式のデータに所定の処理を行う機能を有した制御部と、
前記メディアから再生したデータが記憶される記憶部とを備え、
前記制御部は、データ記録済みのメディアを前記記録再生部に再生させ、前記メディアから前記ファイル形式のデータを読み出すとともに、メディアイメージデータを読み出し、前記記憶部に記憶させることを特徴とするメディア処理装置。
【請求項２】
前記制御部は、同一のメディアから読み出した各データを、同じフォルダー内に格納させることを特徴とする請求項１に記載のメディア処理装置。
【請求項３】
前記メディアイメージデータは、複数のデータを、前記メディアに規定されるフォーマットで１つのファイルにまとめたデータであることを特徴とする請求項１又は２に記載のメディア処理装置。
【請求項４】
前記制御部は、読み出し対象の前記ファイル形式のデータの指定を受け付け、指定されたデータと前記メディアイメージデータとを読み出すことを特徴とする請求項１乃至３のいずれか一項に記載のメディア処理装置。
【請求項５】
前記制御部は、前記ファイル形式のデータとして、前記メディアの印刷用データを読み出し、
前記所定の処理として、前記印刷用データに基づいて印刷を行う機能を有することを特徴とする請求項１乃至４のいずれか一項に記載のメディア処理装置。
【請求項６】
前記制御部は、前記ファイル形式のデータとして、前記メディアのデータ内容を示すインデックスデータを読み出し、
前記所定の処理として、前記インデックスデータを展開する機能を有することを特徴とする請求項１乃至５のいずれか一項に記載のメディア処理装置。
【請求項７】
前記制御部は、記憶された前記メディアイメージデータを前記記録再生部によって前記メディアに記録させる複製処理を実行することを特徴とする請求項１乃至６のいずれか一項に記載のメディア処理装置。
【請求項８】
データ記録用のメディアの記録および再生を行う記録再生部を有する電子機器を制御する制御装置において、
前記メディアの記録および再生の制御を行うとともに、所定のファイル形式のデータに所定の処理を行う機能を有した制御部を有し、
前記制御部は、データ記録済みのメディアを前記記録再生部に再生させ、前記メディアから、前記ファイル形式のデータを読み出すとともに、メディアイメージデータを読み出し、所定の記憶部に記憶させることを特徴とする制御装置。
【請求項９】
データ記録用のメディアの記録および再生を行う記録再生部を有する電子機器を制御するコンピューターにより実行される制御プログラムであって、
前記コンピューターを、
所定のファイル形式のデータに所定の処理を行う機能を有した手段と、
データ記録済みのメディアを前記記録再生部に再生させ、前記メディアから、前記ファイル形式のデータを読み出すとともに、メディアイメージデータを読み出し、所定の記憶部に記憶させる手段と、して機能させることを特徴とする制御プログラム。
【発明の詳細な説明】
【技術分野】
【０００１】
本発明は、データ記録用のメディアを処理するメディア処理装置、制御装置および制御プログラムに関する。
【背景技術】
【０００２】
データ記録用のメディアを処理するメディア処理装置として、ＣＤやＤＶＤ等の光ディスク型のメディアの記録再生を行う記録再生装置が知られている。この種の記録再生装置には、複製元のメディアから複製先のメディアへとデータをコピーする機能を有するものがある（例えば、特許文献１、２参照）。また、従来のパーソナルコンピューターも、所定のアプリケーションソフトを用いることによってメディアの複製が可能である。
【先行技術文献】
【特許文献】
【０００３】
【特許文献１】特開２００２−３０４８０２号公報
【特許文献２】特開平２−８３８５６号公報
【発明の概要】
【発明が解決しようとする課題】
【０００４】
ところで、光ディスク等のメディアの寿命が有限であることが一般的に認知されるようになり、メディアの作り替え（データマイグレーションとも言う）の需要が高まっている。
しかしながら、マイグレーション作業において、記録面の読み込みをオリジナルデータに近いイメージファイル（一般的にＩＳＯ形式のファイル）で行うと、一般のパーソナルコンピューターではイメージファイルの内容を確認することができない。
【０００５】
一方、マイグレーション作業において、パーソナルコンピューターのＯＳで扱うことができるファイル形式で取り出すと、イメージファイルに含まれる一部の情報（ボリュームラベルや作成日付）が欠落してしまい、完全な複製を作成するには、ボリュームラベル等を再設定する手間が生じる。
さらに、記録する際に、再度イメージファイルに変換する必要があり、処理が複雑になり、その分、時間もかかってしまう。しかも、変換処理に要する記憶容量は、データの約２倍必要になる。
【０００６】
本発明は、上述した事情に鑑みてなされたものであり、メディアに記録されるデータを、複製に好適なデータで効率よく取得することができるメディア処理装置、制御装置および制御プログラムを提供することを目的とする。
【課題を解決するための手段】
【０００７】
上記目的を達成するために、本発明は、データ記録用のメディアを処理するメディア処理装置において、前記メディアの記録および再生を行う記録再生部と、前記メディアの記録および再生の制御を行うとともに、所定のファイル形式のデータに所定の処理を行う機能を有した制御部と、前記メディアから再生したデータが記憶される記憶部とを備え、前記制御部は、データ記録済みのメディアを前記記録再生部に再生させ、前記メディアから前記ファイル形式のデータを読み出すとともに、メディアイメージデータを読み出し、前記記憶部に記憶させることを特徴とする。
この構成によれば、メディアから、制御部が所定の処理を行うことが可能なファイル形式のデータを読み出すとともに、メディアイメージデータを読み出し、記憶部に記憶させるので、メディアイメージデータの内容を把握するのに好適なデータと、複製に好適なイメージファイルとを同時に取得することができる。従って、ディスクに記録されるデータを、複製に好適なデータで効率よく取得することができる。
【０００８】
上記構成において、前記制御部は、同一のメディアから読み出した各データを、同じフォルダー内に格納させても良い。この構成によれば、同一のメディアのデータをまとめることができ、各データの取り扱いがし易くなる。
また、上記構成において、前記メディアイメージデータは、複数のデータを、前記メディアに規定されるフォーマットで１つのファイルにまとめたデータであっても良い。この構成によれば、メディアイメージデータを用いて記録内容が同じ複製メディアを容易に作成することができる。
【０００９】
また、上記構成において、前記制御部は、読み出し対象の前記ファイル形式のデータの指定を受け付け、指定されたデータと前記メディアイメージデータとを読み出しても良い。この構成によれば、メディアに合わせて所望のデータを取得することができる。
また、上記構成において、前記制御部は、前記ファイル形式のデータとして、前記メディアの印刷用データを読み出し、前記所定の処理として、前記印刷用データに基づいて印刷を行う機能を有しても良い。この構成によれば、印刷内容が同じ複製メディアを容易に作成することができる。
【００１０】
また、上記構成において、前記制御部は、前記ファイル形式のデータとして、前記メディアのデータ内容を示すインデックスデータを読み出し、前記所定の処理として、前記インデックスデータを展開する機能を有しても良い。この構成によれば、インデックスデータを展開することにより、イメージデータの内容を容易に確認することができる。
また、上記構成において、前記制御部は、記憶された前記メディアイメージデータを前記記録再生部によって前記メディアに記録させる複製処理を実行しても良い。この構成によれば、記憶したデータを用いて複製メディアを容易に作成することができる。
【００１１】
また、本発明は、データ記録用のメディアの記録および再生を行う記録再生部を有する電子機器を制御する制御装置において、前記メディアの記録および再生の制御を行うとともに、所定のファイル形式のデータに所定の処理を行う機能を有した制御部を有し、前記制御部は、データ記録済みのメディアを前記記録再生部に再生させ、前記メディアから、前記ファイル形式のデータを読み出すとともに、メディアイメージデータを読み出し、所定の記憶部に記憶させることを特徴とする。
この構成によれば、メディアから、制御部が所定の処理を行うことが可能なファイル形式のデータを読み出すとともに、メディアイメージデータを読み出し、所定の記憶部に記憶させるので、ディスクに記録されるデータを、複製に好適なデータで効率よく取得することができる。
【００１２】
また、本発明は、データ記録用のメディアの記録および再生を行う記録再生部を有する電子機器を制御するコンピューターにより実行される制御プログラムであって、前記コンピューターを、所定のファイル形式のデータに所定の処理を行う機能を有した手段と、データ記録済みのメディアを前記記録再生部に再生させ、前記メディアから、前記ファイル形式のデータを読み出すとともに、メディアイメージデータを読み出し、所定の記憶部に記憶させる手段と、して機能させることを特徴とする。
この構成によれば、ディスクに記録されるデータを、複製に好適なデータで効率よく取得することができる。
【発明の効果】
【００１３】
本発明によれば、メディアに記録されるデータを、複製に好適なデータで効率よく取得することができる。
【図面の簡単な説明】
【００１４】
【図１】本実施形態のメディア処理装置の機能構成を示した図である。
【図２】イメージファイルの概要を示した図である。
【図３】操作画面の一例を示した図である。
【図４】複製用データ作成処理を示すフローチャートである。
【図５】印刷用データの一例を表形式で示した図である。
【図６】印刷内容確認画面の具体例を示した図である。
【発明を実施するための形態】
【００１５】
以下、図面を参照して本発明の実施形態について説明する。
図１は、本実施形態のメディア処理装置の機能構成を示した図である。このメディア処理装置１は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ（登録商標））等のディスク型光学記録媒体であるディスク（メディア）を処理対象とした処理システムである。
メディア処理装置１は、ディスクにデータ記録と印刷とを行う複合型の電子機器であるパブリッシャー（メディア発行装置）２と、パブリッシャー２を制御するホスト装置（制御装置）３とを備え、ホスト装置３によりパブリッシャー２内に存在する複数のデバイスを制御する複数デバイス制御装置としても機能している。
パブリッシャー２とホスト装置３とは、単一のＵＳＢ（Ｕｎｉｖｅｒｓａｌ  Ｓｅｒｉａｌ  Ｂｕｓ）ケーブル（通信ケーブル）４を介して接続され、ＵＳＢ規格に従ってデータ通信を行う。
パブリッシャー２は、ホスト装置３からデータ転送されたデータ（イメージファイル、印刷データおよび搬送制御データ）に従って、複数枚のディスクを順次処理していく。
【００１６】
詳述すると、パブリッシャー２は、ホスト装置３と接続するためのＵＳＢケーブル４をつなぐＵＳＢハブ１１と、複数枚のディスクを各々収容可能な４つのスタッカー（格納部）１２と、ディスクの記録面に対して記録および再生を行う２台のディスクドライブ（記録再生部）１３と、記録面と反対側に設けられるレーベル面に対して印刷処理を行うディスクプリンター１４と、スタッカー１２とディスクドライブ１３とディスクプリンター１４との間でディスクを搬送するオートローダー１５とを備え、これらが単一の筐体内に収容されている。
なお、ホスト装置３にパブリッシャー２を一台接続する構成に限らず、ホスト装置３に複数台のパブリッシャー２を接続することも可能である。
【００１７】
ＵＳＢハブ１１は、ホスト装置３とパブリッシャー２内の複数のデバイス（２台のディスクドライブ１３、ディスクプリンター１４およびオートローダー１５）とを通信接続するための通信インターフェース（物理インターフェース）であり、ホスト装置３および各デバイスがケーブル接続されるＵＳＢインターフェース（通信インターフェース）１６，１７と、デバイスの接続検出や信号の分配等を行うＵＳＢハブコントローラー１８とを備えている。
ＵＳＢハブ１１は、ホスト装置３からデータ転送されたデータを各デバイスに出力することにより、各ディスクドライブ１３に、受信したイメージファイルを順次出力し、ディスクプリンター１４に、受信した印刷データを順次出力し、オートローダー１５に、受信した搬送制御データを順次出力する。
【００１８】
ホスト装置３は、一般的なパーソナルコンピューター等を利用可能であり、パブリッシャー２との通信を行うＵＳＢインターフェース（通信インターフェース）２０と、キーボードやマウス等を有する入力部２１と、ディスプレイ等を有する表示部２２と、各部を制御する制御部２３と、制御プログラム等の各種データを書き込みおよび読み出し可能なハードディスク装置又はフラッシュメモリドライブ等からなる記憶装置（記憶部）２４とを備えている。
ＵＳＢインターフェース２０は、一台又は複数台のパブリッシャー２を接続するだけでなく、パブリッシャー２以外のＵＳＢデバイスを接続することができる公知のインターフェースである。
【００１９】
制御部２３は、ＣＰＵ（Ｃｅｎｔｒａl  Ｐｒｏｃｅｓｓｉｎｇ Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のハードウェアにより構成されている。そして、ホスト装置３に、パブリッシャー２用の管理アプリケーション３１およびドライバーソフト３２に対応する各種データをインストールすることにより、ホスト装置３をパブリッシャー２の制御装置として機能させることができる。
【００２０】
パブリッシャー２用のドライバーソフト３２は、統括制御部４１と、データ処理部４２と、印刷データ生成部４３と、２つのドライブ制御部４４と、プリンター制御部４５と、ローダー制御部４６とを備えている。
統括制御部４１は、メディア処理装置１の各部の情報や処理設定を記憶するとともに、ディスクに対する一連の処理（書き込みや印刷を行う発行処理等）をスケジューリングし、パブリッシャー２の各部の動作手順を制御する。
統括制御部４１は、この制御により、２台のディスクドライブ１３、ディスクプリンター１４およびオートローダー１５を、互いに干渉させることなく効率的に動作させる。
【００２１】
データ処理部４２は、ディスクに書き込めるイメージファイルを生成したり、記録済みディスクに記録されたデータを、ホスト装置３のＯＳ（Ｏｐｅｒａｔｉｎｇ  Ｓｙｓｔｅｍ）が展開処理等することができるファイル形式で読み込む機能を具備している。以下、説明を判りやすくするため、このファイル形式を、「対応ファイル形式」と言う。
イメージファイルを生成し、ディスクに書き込む場合には、ユーザーに指定されたデータ（記憶装置２４に記憶された一又は複数のファイルや、ディスクから読み出した一又は複数のファイル）を含むようにイメージファイルを生成し、このイメージファイルをパブリッシャー２に送信することによって、パブリッシャー２によってディスクに書き込まれる。
【００２２】
ここで、イメージファイルは、ディスクに記録する一又は複数のデータを、所定フォーマットで１つのファイルにまとめたデータであり、ディスクイメージデータ（メディアイメージデータ）とも称する。
図２は、イメージファイルの概要を示した図である。イメージファイルは、ディスクに規定されるディスクフォーマットに従って作成されており、ディスクの識別子であるボリュームラベル（ボリュームＩＤとも言う）、ディスクの作成日付等を記述したデータ領域ＤＡ、および、各種のファイルを記述したファイルデータ領域ＤＢ等を有している。このイメージファイルのフォーマットとしては、例えば、ＩＳＯ９６６０、Joliet、ＵＤＦ１．０２、又は、ＵＤＦ２．５が適用される。
また、データ処理部４２は、記録済みディスクから対応ファイル形式でファイルを読み出す機能だけでなく、記録済みディスクからイメージファイルを読み出す機能も有しており、対応ファイル形式でファイルを読み出すか、又は、イメージファイルを読み出すかを選択可能である。
【００２３】
印刷データ生成部４３は、ディスクのレーベル面に印刷するための印刷データ（例えばＰＲＮファイル）を生成する。
各ドライブ制御部４４は、統括制御部４１のスケジューリングに則ってパブリッシャー２の各ディスクドライブ１３に対してイメージファイルを順次出力して、各ディスクドライブ１３の書込み処理を制御する。
プリンター制御部４５は、統括制御部４１のスケジューリングに則ってパブリッシャー２のディスクプリンター１４に対して印刷データを順次出力して、ディスクプリンター１４の印刷処理を制御する。
ローダー制御部４６は、統括制御部４１のスケジューリングに則って搬送制御データを生成し、これをパブリッシャー２のオートローダー１５に順次出力して、オートローダー１５の搬送処理を制御する。
【００２４】
パブリッシャー２用の管理アプリケーション３１は、ユーザーに対し、ＧＵＩ（Ｇｒａｐｈｉｃａｌ  Ｕｓｅｒ  Ｉｎｔｅｒｆａｃｅ）を提供するアプリケーションであり、表示部２２に操作画面（ＧＵＩ画面）等の各種画面を表示させる。具体的には、管理アプリケーション３１は、情報取得部５１と、情報処理部５２と、表示制御部５３とを備えている。
情報取得部５１は、ドライバーソフト３２から、各デバイスの情報（ディスクプリンター１４のインク残量情報や、各スタッカー１２の管理情報（ディスクの積載量や種類）と、各処理デバイスの動作情報）を取得し、また、ホスト装置３とパブリッシャー２とのデータ転送経路の経路情報（ドライバーソフト３２、ＵＳＢインターフェース２０およびＵＳＢケーブル４のそれぞれにおける各転送モードへの対応情報）等を取得する。
【００２５】
情報処理部５２は、ＧＵＩを介して入力されたユーザー指示等に応じて各種の処理を実行する。これによって、情報処理部５２は、ユーザーの所定操作によりディスク発行処理を行うための操作画面や印刷イメージ等のイメージ画像を生成する画像生成部、表示制御部５３と協働して表示部２２に操作画面等を表示させる表示処理部、および、操作画面上に表示される各種操作ボタン（アイコンとも言う）の操作を受け付け、この操作に対応する各種処理（発行処理を含む）を実行する処理実行部（発行処理実行部）等として機能する。
表示制御部５３は、情報処理部５２の制御の下、操作画面を表示部２２に表示させる。
【００２６】
本実施形態のメディア処理装置１は、スタッカー１２に複数枚のディスクを格納し、オートローダー１５によって、各ディスクをディスクドライブ１３とディスクプリンター１４とに搬送可能であり、これによって、複数枚のディスクに、データ記録と印刷とを適宜に行い、複数枚の記録済みディスクを発行することができる。
【００２７】
ところで、複製元のディスクに記録されるイメージファイルを使用して新しくディスクを作成すると、複製元と同じディスクを作成できるため、イメージファイルを複製用の原本データに使用することが好適である。しかしながら、イメージファイルは、一般的には、ホスト装置３側で展開することができず、イメージファイルの内容を直接確認することはできない。
そこで、本実施形態では、データ記録済みのディスクから、ホスト装置３の制御部２３が展開処理できる対応ファイル形式でデータを読み出すとともに、イメージファイルを読み出し、これらを記憶装置２４に記憶させる処理（以下、「複製用データ作成処理」と言う）を実行できるようにしている。
【００２８】
この複製用データ作成処理は、制御部２３が備える情報取得部５１、情報処理部５２および表示制御部５３等の機能により実行される。
この場合、制御部２３は、記憶装置２４に記憶された管理アプリケーション３１のプログラムを実行することにより、情報取得部５１、情報処理部５２および表示制御部５３等の機能を実現し、ユーザーから各種指示を入力するための操作画面ＧＭを表示する。そして、入力部２１を介して入力されたユーザー指示に従って、複製用データ作成処理を開始する。
なお、複製元となる記録済みディスクは、オートローダー１５によってディスクドライブ１３へ搬送されている。
【００２９】
図３は、操作画面ＧＭの一例を示した図である。
この操作画面ＧＭは、複製用データ作成処理用の操作画面ＧＭ０であり、大別すると、作業内容の選択指示（「ディスク」、「レーベル」、「発行」）を受け付ける作業内容選択領域ＡＲ１と、ディスクの読み込みに関する各種設定を行う設定領域ＡＲＡとを備えている。
作業内容選択領域ＡＲ１において、「ディスク」で示す画像Ｇ１は、ディスクの記録面に関する操作画面（図３に示す操作画面ＧＭ０等）への切り替えを指示する操作ボタンとして機能し、「レーベル」で示す画像Ｇ２は、ディスクのレーベル面に関する操作画面（以下、「印刷内容確認画面」と言う）ＧＭ１（後述する図６）への切り替えを指示する操作ボタンとして機能する。
【００３０】
また、「発行」で示す画像Ｇ３は、記録内容および印刷内容の両方（組み合わせ）を確認する操作画面（以下、「組み合わせ確認画面」と言う）ＧＭ３（不図示）への切り替えを指示する操作ボタンとして機能する。
また、上記「ディスク」、「レーベル」、「発行」で示す画像Ｇ１〜Ｇ３のうち、現在表示中の操作画面ＧＭ１〜ＧＭ３に対応する１つの画像Ｇ１〜Ｇ３は、他の画像と色や濃度等が異なる態様で表示され、現在表示中の操作画面を、ユーザーに通知する。なお、図３では、「ディスク」で示す画像Ｇ１が他の画像Ｇ２およびＧ３よりも濃い色で表示されている。
【００３１】
設定領域ＡＲＡには、読み出し動作を設定する項目（「ファイルコピーする」、「ディスクイメージを作成する」）Ｋ１，Ｋ２と、項目「ファイルコピーする」Ｋ１を選択した場合のファイル（データ）の読み込み先となる指定フォルダーを指定する指定領域Ｋ３と、読み込んだデータの保存先となるフォルダーパスを指定する指定領域Ｋ４とが表示される。
上記項目「ファイルコピーする」Ｋ１は、ディスクから対応ファイル形式のファイルを読み出すか否かを選択する項目であり、同操作画面ＧＭ０中のチェックボックスＣＫＡへのチェックの有無によって選択される。
また、上記項目Ｋ２（「ディスクイメージを作成する」）は、ディスクからイメージファイルを読み出すか否かを選択する項目であり、同操作画面ＧＭ０中のチェックボックスＣＫＢのチェックの有無によって選択される。
また、図３中、項目Ｋ５は、ディスク毎にフォルダーを作成するか否かを選択する項目である。チェックボックスＣＫＣのチェックの有無によって選択される。
なお、これらチェックボックスＣＫＡ〜ＣＫＣのチェックおよび以下に述べる各種のユーザー操作は入力部２１を介して行われる。
【００３２】
指定領域Ｋ３には、ユーザーによって指定フォルダーが入力される。また、指定領域Ｋ４には、ユーザーによって保存先（フォルダーパス）が入力される。より具体的には、同操作画面ＧＭ０中の「参照」で示す操作ボタンＧＤ１がユーザーに操作されると、制御部２３は、記憶装置２４のフォルダー構造を示すデータを読み取って表示部２２にポップアップ表示し、その表示内容に基づいてユーザーが所望の保存先を指定することができる。
また、指定領域Ｋ４に直接、文字入力することによっても、保存先を入力可能である。この場合、保存先が文字入力された後に、同操作画面ＧＭ０中の「適用」で示す操作ボタンＧＤ２が操作されると、制御部２３は、その保存先を確定する。
なお、各領域Ｋ３，Ｋ４への入力方法は、公知の入力方法を広く適用可能である。
【００３３】
以下の説明において、ユーザーは、ディスクから読み取ったデータの保存先として、記憶装置２４内の保存先フォルダーＦＦ（図３参照）を指定したものとして説明する。
上記の操作画面ＧＭ０により読み出しの各種設定が行われた後、ユーザーによって、データの読み出し開始が指示されると、制御部２３は、読み出し処理として、複製用データ作成処理を開始する。このデータの読み出し開始を指示する操作ボタンは、例えば、操作画面ＧＭ中の「発行」で示す画像Ｇ３の操作によって切り替え表示される不図示の組み合わせ確認画面ＧＭ３中に表示される。
【００３４】
図４は、複製用データ作成処理を示すフローチャートである。なお、同図３に示すように、上記項目Ｋ１〜Ｋ３の全てが選択されているものとする。また、複製元のディスクは、指定されたスタッカー１２からオートローダー１５によりディスクドライブ１３へと搬送される。
まず、制御部２３は、指定フォルダーの指定があるか否かを判定する（ステップＳ１０１）。この場合、制御部２３は、項目Ｋ１（「ファイルコピーする」）が選択され、且つ、指定領域Ｋ３に指定フォルダーが入力されている場合に指定フォルダーの指定あり、と判断する。
指定フォルダーの指定ありの場合（ステップＳ１０１；ＹＥＳ）、制御部２３は、ディスクドライブ１３内のディスクに、指定フォルダーが記録されているか否かを検索し、発見した場合に、指定フォルダーに対応する対応ファイル形式のファイルを読み出し、保存先フォルダーＦＦに格納する（ステップＳ１０２）。なお、指定フォルダーの指定なしの場合（上記項目Ｋ１がチェックされていない場合）、制御部２３は、ステップＳ１０２の処理をスキップし、ステップＳ１０３の処理へ移行する。
【００３５】
次いで、制御部２３は、ディスクドライブ１３によりディスクを再生してイメージファイルを読み出し（ステップＳ１０３）、イメージファイルを、保存先フォルダーＦＦに格納する（ステップＳ１０４）。
これにより、前掲図３に示すように、保存先フォルダーＦＦに、指定フォルダーとイメージファイルとが格納される。
なお、イメージファイルの読み出しが指示されていない場合（上記項目Ｋ２がチェックされていない場合）、制御部２３は、イメージファイルの読み出しを行わない。以上により、一枚のディスクに対する複製用データの作成処理が終了する。
【００３６】
本実施形態のメディア処理装置１は、イメージファイルをディスクに書き込む公知のソフトウェアを使うことによって、上記イメージファイルを用いて、このイメージファイルを読み取ったディスクと同じディスクを複製することができる。
このイメージファイルを格納する保存先フォルダーＦＦに格納される指定フォルダーは、対応ファイル形式のデータであるため、ホスト装置３の制御部２３の機能を用いて展開等することができる。
例えば、ユーザーは、指定フォルダーとして、ディスクのデータ内容を記述したインデックスデータを指定しておくことによって、保存先フォルダーＦＦ内に、インデックスデータを格納させておくことができる。このため、インデックスデータを展開することによって、イメージファイルの内容を任意のタイミングで容易に確認することができる。
【００３７】
また、発明者は、複製元ディスクに、レーベル面に印刷した印刷内容を示す印刷用データを記憶しておくこと、および、この印刷用データを指定フォルダーに指定することを提案している。
この場合、上記複製用データ作成処理を実行することによって、複製元ディスクから、複製元ディスクのデータ面の内容を示すイメージファイルと、複製元ディスクのレーベル面の内容を示す印刷用データとが取得される。
このため、制御部２３の機能を利用して印刷用データに基づきディスクに印刷することによって、複製元ディスクと同じレーベル面の複製ディスクを作成することが可能になる。しかも、ディスクのレーベル面への印刷内容は、一般にディスクの内容（データ内容）を含むため、印刷用データを展開し、或いは、印刷イメージを確認することによって、ディスクの記録内容（イメージファイルの内容）を確認することができる。
続いて、印刷用データおよび印刷用の操作画面ＧＭの具体例を説明する。
【００３８】
印刷用データは、レーベル面の画像そのもの画像データの場合（例えば、ＪＰＥＧ形式の画像ファイル）と、レーベル面の文字列を記述したテキストファイル形式のデータの場合とがある。以下、テキストファイル形式の印刷用データＦＡを使用する場合を例に説明する。
図５は、印刷用データＦＡの一例を表形式で示した図である。
印刷用データＦＡは、印刷対象の文字列を「，（カンマ）」区切りで記述したＣＳＶ（Ｃｏｍｍａ−Ｓｅｐａｒａｔｅｄ  Ｖａｌｕｅｓ）ファイルである。なお、先頭行が識別子であり、２行目が一枚のディスクに対応するレコードを示しており、レコードを構成する各データ項目（フィールド）が、「，（カンマ）」区切りで記述された内容を示している。
【００３９】
図５に示すように、印刷用データＦＡの先頭行には、識別子として、「Title」、「Subtitle」、「Lecturer/Training Provider」、「Host Location」、「Date」が記述され、２行目には、「Title」、「Subtitle」、「Lecturer/Training Provider」、「Host Location」、「Date」の各々に対応する印刷文字列（「Coaching and Consultation」、「Delegation: Developing Reliable Leaders」、「ABCD Workshops, Inc.」、「ABCD Training Center, CA」および「10/1/2012」）が記述されている。なお、行の先頭に連番で表示される番号は、印刷用データＦＡを表形式で示すソフトウェアによって自動に表示された番号である。
この印刷用データＦＡは、ユーザーが直接作成しても良いし、又は、ＣＳＶファイルへの変換機能を有するソフトウェアを使用してユーザーが作成しても良い。また、ＣＳＶファイルであるため、一般的なソフトウェアを用いて印刷用データＦＡを容易に展開することも可能である。
【００４０】
図６は、図５に示した印刷用データＦＡを使用した場合の印刷内容確認画面ＧＭ１の具体例を示した図である。なお、上述した操作画面ＧＭ０と同様の部分は同一の符号を付して示し、重複する説明は省略する。
印刷内容確認画面ＧＭ１は、大別すると、作業内容選択領域ＡＲ１と、レーベル面のイメージ画像を表示する印刷イメージ表示領域ＡＲ２と、印刷イメージ表示領域ＡＲ２内のイメージ画像の各種設定を行う設定表示領域ＡＲ３とを備えている。
設定表示領域ＡＲ３には、印刷用データＦＡを用いてデータを自動挿入する「自動データ挿入」ボタンＢＡが表示され、ユーザーが「自動データ挿入」ボタンＢＡを操作すると、制御部２３は、同図６に示す自動データ挿入画面ＧＭ６をポップアップ表示させる。
【００４１】
自動データ挿入画面ＧＭ６には、印刷用データＦＡの読み出しを指示する操作ボタン（「ＣＳＶ指定」）ＢＢ、印刷内容（文字列）を指定する指定領域（「自動データ」と「列名」）ＡＲ１５等が表示され、入力部２１を介して操作されることによって、制御部２３は、ユーザーに指示された印刷用データＦＡの中から指定領域ＡＲ１５に対応するデータ（図５中、「Coaching and Consultation」）を読み出し、印刷イメージ表示領域ＡＲ２内に、読み出したデータに対応する画像を表示させる。
より具体的に説明すると、指定領域ＡＲ内の「自動データ」内に表示される「差し込み」を選択し、文字列を示す「列名」で、図５に示すフィールド「Title」を選ぶことによって、印刷用データＦＡ内の「Coaching and Consultation」が、印刷内容確認画面ＧＭ１の印刷イメージ表示領域ＡＲ２に表示される。
【００４２】
このようにして、印刷用データＦＡを利用してレーベル面の印刷レイアウトを容易に行うことができる。印刷レイアウトが決定した後、ユーザーが印刷開始を指示することによって、ディスクプリンター１４によりディスクに印刷を行うことができる。これによって、複製元ディスクと同等のレーベル面を容易に印刷することができる。
また、印刷用データＦＡに記述される文字列、或いは、印刷イメージ表示領域ＡＲ２に表示されるイメージ画像（いわゆる印刷イメージ）を閲覧することによって、イメージファイルの内容も容易に把握することができる。
なお、図６では、「自動データ」内には、「差し込み」以外に、日付や時刻等を自動入力するための「日付」、「時刻」等の項目が表示され、例えば、「日付」が選択されると、印刷イメージ表示領域ＡＲ２に日付を自動入力させることができる。
また、印刷用データＦＡがＪＰＥＧ形式の画像ファイルの場合でも、上記と同様に、複製元ディスクと同等のレーベル面を容易に印刷することができるとともに、イメージファイルの内容も容易に把握することが可能である。
【００４３】
以上説明したように、本実施の形態では、データ記録済みのディスクから、ホスト装置３（制御部２３）が展開可能な対応ファイル形式で指定フォルダーのデータを読み出すとともに、イメージファイル（メディアイメージデータ）を読み出し、両データを記憶装置２４に記憶させるので、指定フォルダーのデータによりイメージファイルの内容を把握でき、かつ、イメージファイルを用いて複製ディスクを容易に作成することができる。これにより、イメージファイルの内容を把握するのに好適なデータと、複製に好適なイメージファイルとを同時に取得することができる。
【００４４】
しかも、イメージファイルは、複製元ディスクに記録されたイメージデータそのものであるため、ボリュームラベルや作成日付等も含み、記録内容が同じ複製ディスクを容易に作成することができる。また、複製ディスクの作成時にイメージファイルへ変換する変換処理が不要なため、変換処理をしない分、処理時間が短くて済み、かつ、記憶領域も少なくて済む。
また、ホスト装置３側でイメージファイルを直接展開する必要がないため、イメージファイルを展開するため特別なソフトウェア等が不要である。
これらにより、本構成では、ディスクに記録されるデータを、複製に好適なデータで効率よく取得することができる。
【００４５】
さらに、ホスト装置３の制御部２３は、同一のディスクから読み出した各データを、同じフォルダー内に格納させるので、同一のディスクのイメージファイルと指定フォルダーとをまとめることができ、各データの取り扱いがし易くなる。
しかも、制御部２３は、指定フォルダーの指定を受け付け、指定された指定フォルダーを読み出すので、ユーザーが所望するデータを取得することができる。
このため、上記したように、指定フォルダーに、複製元ディスクのデータ内容を示すインデックスデータを指定したり、複製元ディスクの印刷用データＦＡを指したり、といった選択を容易に行うことができ、複製元ディスクに合わせて適切なデータの取得が可能になる。
なお、本実施形態では、対応ファイル形式のデータの読み出し処理が終了した後に、イメージファイルの読み出し処理を行う場合を説明したが、これに限らず、両読み出し処理を略同時に行っても良い。
【００４６】
また、上記の実施形態では、読み出し先となる対応ファイル形式のデータを、単一のフォルダー指定（指定フォルダー）によって指定する場合を説明したが、これに限らない。例えば、全ファイル指定、フォルダー名指定、ファイル名指定、ファイルの拡張子指定等の様々な指定条件をユーザーが選択可能にしても良い。
また、上記の実施形態では、同一のディスクから読み出した対応ファイル形式のデータおよびイメージファイルを、同じフォルダーに格納する場合を説明したが、ディスク毎にフォルダーを作成するか否かを選択する項目Ｋ５（図３参照）のチェックを外すことによって、各ディスクから読み出した各データを、ユーザーが指定した所望の保存先にまとめて記憶させることもできる。
また、上記の実施形態において、対応ファイル形式のデータおよびイメージファイルを読み出したディスクの一覧（例えば、ディスク毎の指定フォルダーおよびイメージファイルの記憶先）を記述したファイルを、制御部２３が自動的に作成しても良い。
また、上記の実施形態では、ユーザーの指示があった場合に、複製用データ作成処理を行う場合を説明したが、ディスクのエラーレートを測定し、エラーレートが予め定めた閾値以上の場合に、複製用データ作成処理を自動的に開始しても良い。
【００４７】
また、上記の実施形態では、同一のディスクから読み出した対応ファイル形式のデータおよびイメージファイルを、ホスト装置３内の記憶装置２４に記憶する場合を説明したが、これに限らず、ホスト装置３にネットワーク接続されるネットワークストレージに格納してもよい。この場合、このネットワークストレージに接続される他のホスト装置３やパーソナルコンピューターにて、上記データを共用することができる。
また、上記の実施形態では、ディスクから読み出す対応ファイル形式のデータを、ユーザーが指定する場合を説明したが、これに限らず、制御部２３が、インデックスデータ或いは印刷用データＦＡを検索し、発見した場合に、各データを読み出す処理を行っても良い。
また、上記の実施形態において、ディスクに記憶される全ての対応ファイル形式のデータを読み出すようにしても良い。
【００４８】
さらに、上記実施の形態では、本発明を、パブリッシャー２とホスト装置３とが別体で構成されるメディア処理装置１に適用する場合を説明したが、これに限らず、本発明を、パブリッシャー２とホスト装置３とが一体した一体構造のメディア処理装置に適用しても良い。
また、上記実施の形態では、ディスクを処理対象とするメディア処理装置に本発明を適用する場合を説明したが、ディスク以外の他のメディアを処理対象とするメディア処理装置に本発明を広く適用することができる。
【００４９】
さらに、本実施形態では、複製用データ作成処理等を行うための制御プログラムを、ホスト装置３の記憶装置２４に予め記憶しておく場合を説明したが、これに限らず、この制御プログラムを磁気記録媒体、光記録媒体、半導体記録媒体等のコンピューターが読み取り可能な記録媒体に格納し、コンピューターが記録媒体からこの制御プログラムを読み取って実行しても良い。また、この制御プログラムを通信ネットワーク上の配信サーバー等からダウンロードしても良い。
また、上述した変形例によらず、メディア処理装置１、パブリッシャー２およびホスト装置３の装置構成や処理等について、本発明の要旨を変更しない範囲で適宜に変更が可能である。
また、上述した変形例によらず、メディア処理装置１、パブリッシャー２およびホスト装置３の装置構成や処理等について、本発明の要旨を変更しない範囲で適宜に変更が可能である。
【符号の説明】
【００５０】
１…メディア処理装置、２…パブリッシャー（メディア発行装置）、３…ホスト装置（制御装置）、１３…ディスクドライブ（記録再生部）、１４…ディスクプリンター、２３…制御部、２４…記憶装置（記憶部）。
【図１】
2014120186.tif 000003
【図２】
2014120186.tif 000004
【図３】
2014120186.tif 000005
【図４】
2014120186.tif 000006
【図５】
2014120186.tif 000007
【図６】
2014120186.tif 000008